(57)【要約】【課題】送信側が意図する印刷装置に対し、当該印刷装置で処理可能な画像データを送信させることが可能なファクシミリ装置、データ処理方法及びプログラムを提供する。【解決手段】複数のファクシミリ番号と複数の印刷装置をそれぞれ対応付けて登録し、登録された複数のファクシミリ番号のいずれかによる電話網からの着呼を受け付け、受け付けたファクシミリ番号に対応する印刷装置の処理能力を取得し、その処理能力を着呼の受け付けに応じて電話網を介して送信元に通知し、通知の後に、送信元から受信した画像データを、着呼を受け付けたファクシミリ番号に対応する印刷装置に転送する。【選択図】図４
2010212915.tif 000002
【特許請求の範囲】
【請求項１】
複数の印刷装置と接続可能であるとともに、ファクシミリ受信した画像データを接続された前記複数の印刷装置のいずれかに転送可能なファクシミリ装置であって、
複数のファクシミリ番号と前記複数の印刷装置をそれぞれ対応付けて登録する登録手段と、
前記登録手段で登録された複数のファクシミリ番号のいずれかによる電話網からの着呼を受け付ける受付手段と、
前記受付手段で着呼を受け付けたファクシミリ番号に対応する印刷装置の処理能力を取得する取得手段と、
前記取得手段で取得した処理能力を、前記受付手段による着呼の受け付けに応じて電話網を介して送信元に通知する通知手段と、
前記通知手段による処理能力の通知の後に、前記送信元から受信した画像データを、前記受付手段で着呼を受け付けたファクシミリ番号に対応する印刷装置に転送する転送手段と
を備えることを特徴とするファクシミリ装置。
【請求項２】
前記取得手段は、前記受付手段による前記着呼を受け付けたときに、当該着呼を受け付けたファクシミリ番号に対応する印刷装置から処理能力を取得することを特徴とする請求項１に記載のファクシミリ装置。
【請求項３】
前記複数の印刷装置の処理能力を保持するテーブルをさらに備え、
前記取得手段は、前記受付手段による前記着呼を受け付けたときに、当該着呼を受け付けたファクシミリ番号に対応する印刷装置の処理能力を前記テーブルから取得することを特徴とする請求項１に記載のファクシミリ装置。
【請求項４】
前記登録手段は、複数のファクシミリ番号に対応付けて前記複数の印刷装置のＩＰアドレスを登録することを特徴とする請求項１乃至３のいずれか１項に記載のファクシミリ装置。
【請求項５】
前記処理能力は、処理可能な画像データの解像度、用紙サイズ、カラー印刷の可否のうち少なくともいずれかを含むことを特徴とする請求項１乃至４のいずれか１項に記載のファクシミリ装置。
【請求項６】
複数の印刷装置とファクシミリ装置とが接続されたファクシミリシステムにおけるデータ処理方法であって、
複数のファクシミリ番号と前記複数の印刷装置をそれぞれ対応付けて登録する登録工程と、
前記登録工程で登録された複数のファクシミリ番号のいずれかによる電話網からの着呼を前記ファクシミリ装置において受け付ける受付工程と、
前記受付工程で着呼を受け付けたファクシミリ番号に対応する印刷装置の処理能力を前記ファクシミリ装置において取得する取得工程と、
前記取得工程で取得した処理能力を、前記ファクシミリ装置において前記受付工程による着呼の受け付けに応じて電話網を介して送信元に通知する通知工程と、
前記通知工程における処理能力の通知の後に、前記ファクシミリ装置が前記送信元から受信した画像データを、前記受付工程で着呼を受け付けたファクシミリ番号に対応する印刷装置に転送する転送工程と
を備えることを特徴とするデータ処理方法。
【請求項７】
複数の印刷装置と接続可能であるとともに、ファクシミリ受信した画像データを前記複数の印刷装置のいずれかに転送可能なファクシミリ装置としてのコンピュータを、
複数のファクシミリ番号と前記複数の印刷装置をそれぞれ対応付けて登録する登録手段と、
前記登録手段で登録された複数のファクシミリ番号のいずれかによる電話網からの着呼を受け付ける受付手段と、
前記受付手段で着呼を受け付けたファクシミリ番号に対応する印刷装置の処理能力を取得する取得手段と、
前記取得手段で取得した処理能力を、前記受付手段による着呼の受け付けに応じて電話網を介して送信元に通知する通知手段と、
前記通知手段による処理能力の通知の後に、前記送信元から受信した画像データを、前記受付手段で着呼を受け付けたファクシミリ番号に対応する印刷装置に転送する転送手段と
を備えるファクシミリ装置として機能させるためのプログラム。
【発明の詳細な説明】
【技術分野】
【０００１】
本発明は、ファクシミリ受信した画像データを複数の印刷装置のいずれかに転送可能なファクシミリ装置、当該ファクシミリ装置を含むファクシミリシステムにおけるデータ処理方法に関する。
【背景技術】
【０００２】
従来、ファクシミリ（ＦＡＸ）受信を行うデバイス（ＦＡＸ受信デバイス）と受信したＦＡＸデータを画像として印刷するデバイス（印刷デバイス）がそれぞれネットワークを介して接続されたＦＡＸ受信システムが知られている。例えば、特許文献１には、親機（ＦＡＸ受信デバイス）が受信したファクシミリ画像データを、子機（印刷デバイス）に転送し、記録させるシステムが記載されている。
【先行技術文献】
【特許文献】
【０００３】
【特許文献１】特開２００２−５７８７０号公報
【発明の概要】
【発明が解決しようとする課題】
【０００４】
特許文献１では、親機が複数台の子機の記録能力を格納し、記録能力に基づいて、外部ＦＡＸ機器からＦＡＸデータを受信することが記載されている。そして、親機が発信元番号と子機ＩＤを対応付けたテーブルを持ち、着呼時、発信元番号を識別して子機を特定している。そして、ここで特定された子機の記録能力を発信元に通知するものである。また、発信元番号で子機を特定できない場合、通信可能な子機の中で最大記録能力を有する子機を選択して当該子機の記録能力を通知するものである。
【０００５】
しかしながら、引用文献１では、ファクシミリ画像データは、特定の発信元から受信したものは決まった子機に転送されるか、もしくは最大記録能力を持った子機に転送されてしまう。また、発信元でも決まった子機の記録能力または最大記録能力に合わせた画像データを送信することになってしまう。
【０００６】
従って、従来、送信元が意図する印刷装置に対し、しかも当該印刷装置で処理可能な形式の画像データを送信させることができなかった。即ち、従来、このようなシステムでは、送信側は意図した印刷装置で印刷させることができず、また所望の印刷装置の処理能力に合わせた画像データとして送信することもできなかった。
【０００７】
そこで、上記の点に鑑み、本発明は、複数の印刷装置と接続可能であるとともに、ファクシミリ受信した画像データを複数の印刷装置のいずれかに転送可能なファクシミリ装置において、送信側が意図する印刷装置に対し、当該印刷装置で処理可能な画像データを送信させることが可能なファクシミリ装置、データ処理方法及びプログラムを提供することを目的とする。
【課題を解決するための手段】
【０００８】
上記課題を解決するため、本発明に係るファクシミリ装置は、複数の印刷装置と接続可能であるとともに、ファクシミリ受信した画像データを接続された前記複数の印刷装置のいずれかに転送可能なファクシミリ装置であって、複数のファクシミリ番号と前記複数の印刷装置をそれぞれ対応付けて登録する登録手段と、前記登録手段で登録された複数のファクシミリ番号のいずれかによる電話網からの着呼を受け付ける受付手段と、前記受付手段で着呼を受け付けたファクシミリ番号に対応する印刷装置の処理能力を取得する取得手段と、前記取得手段で取得した処理能力を、前記受付手段による着呼の受け付けに応じて電話網を介して送信元に通知する通知手段と、前記通知手段による処理能力の通知の後に、前記送信元から受信した画像データを、前記受付手段で着呼を受け付けたファクシミリ番号に対応する印刷装置に転送する転送手段とを備える。
【発明の効果】
【０００９】
本発明によれば、送信側が意図する印刷装置に対し、当該印刷装置で処理可能な画像データを送信させることができる。
【図面の簡単な説明】
【００１０】
【図１】本実施形態におけるＦＡＸ受信システムの構成を示す図である。
【図２】ＦＡＸ受信デバイスの内部構成を示す図である。
【図３】印刷デバイスの内部構成を示す図である。
【図４】各デバイス間の処理の手順を示す図である。
【図５】ＦＡＸ受信デバイスの処理の手順を示す図である。
【図６】図５に示すステップＳ５０３における処理の手順を示す図である。
【図７】図５に示すステップＳ５０３における他の処理の手順を示す図である。
【図８】印刷デバイスの処理の手順を示す図である。
【図９】デバイス対応表の一例を示す図である。
【発明を実施するための形態】
【００１１】
以下に、本発明を実施するための形態について、図面を参照しながら詳しく説明する。なお、同一の構成要素には同一の参照番号を付して、説明を省略する。
【００１２】
図１は、本実施形態におけるファクシミリシステムの構成を示す図である。本システムでは、ファクシミリ通信手順に従って画像データを受信するファクシミリ装置（ＦＡＸ受信デバイス）と、ＦＡＸ受信デバイスから転送された画像データを印刷する複数の印刷装置（印刷デバイス）とがネットワークを介して接続可能に構成される。ファクシミリ装置は、受信した画像データを印刷装置に対して転送可能である。図１において、１１０、１２０、１３０は印刷デバイスであり、それぞれＬＡＮ１００に接続されている。１５０は、ＰＳＴＮ（公衆交換電話網：Public Switched Telephone Networks）であり、ＦＡＸ受信デバイス１１０は、ＬＡＮ１００及びＰＳＴＮ１５０に接続されている。ＦＡＸ受信デバイス１１０は、電話網からの複数のファクシミリ番号（電話番号）着呼をそれぞれ受け付けることが可能であり、着呼したファクシミリ番号に応じて異なる処理を実行可能である。ここでは、ＦａｘＮｏ：Ｎ１と、ＦａｘＮｏ：Ｎ２とによる着呼が可能であるとする。１６０は、ＦＡＸ受信デバイス１１０が受信する画像データの発信元である外部のＦＡＸ機器であり、ＰＳＴＮ１５０を介してＦＡＸ受信デバイス１１０とＦＡＸ通信を行う。ここでは、ＩＴＵ−ＴのＴ．３０の手順に従ったＧ３ＦＡＸ通信を行うものとする。なお、ＰＳＴＮに代えて他の電話網を介して通信を行うもの、Ｇ４ＦＡＸ通信を行うものなど、他の通信方式を採用するようにしてもよい。
【００１３】
外部のユーザが印刷デバイス１２０に対してＦＡＸ送信を行う場合、ユーザは、ＦＡＸ機器１６０を操作して、例えば、ＦａｘＮｏ：Ｎ１に対してダイヤルし、通信を開始させる。すると、ＦＡＸ受信デバイス１１０は、電話網からのＦａｘＮｏ：Ｎ１の呼び出しに応答し、ＦＡＸ受信を開始する。ここでは、ＦＡＸ受信デバイスには、Ｎ１と印刷デバイス１２０が対応付けられて登録されているものとし、ＦＡＸ受信デバイス１１０はＦＡＸ通信手順を開始すると、ＤＩＳ信号で印刷デバイス１２０の能力情報をＦＡＸ機器１６０に通知する。即ち、ＦＡＸ受信デバイス１１０は、自身の受信能力に代えて、印刷デバイス１２０の受信能力を通知する。続いて、ＦＡＸ受信デバイス１１０は、通知した受信能力に従った画像データをＦＡＸ機器１６０から受信し、メモリに格納する。そして、ＦＡＸ受信デバイス１１０は、メモリに格納した受信画像データを、ＬＡＮ１００を介して印刷デバイス１２０に転送し、印刷させる。ＦａｘＮｏ：Ｎ２に対しては印刷デバイス１３０が対応付けられてＦＡＸ受信デバイス１１０に登録され、ＦＡＸ受信デバイス１１０はＮ２で着呼を受けた場合、Ｎ１と同様の処理で印刷デバイス１３０に画像データを転送する。以上の処理の詳細は後述する。
【００１４】
図２は、ＦＡＸ受信デバイス１１０の構成の一例を示すブロック図である。ＣＰＵ２０１は、ＲＯＭ２０２もしくはハードディスク（ＨＤ）２１１に記憶された、あるいはフロッピー（登録商標）ディスクドライブ（ＦＤ）２１２より供給される各種プログラムを実行することにより装置全体を制御する。ＣＰＵ２０１は、システムバス２０４に接続される各要素を総括的に制御する。２０３はＲＡＭで、ＣＰＵ２０１の主メモリ、ワークエリア等として機能する。また、ＲＡＭ２０３には、ＦＡＸ受信デバイス１１０が着呼を受付可能な複数ＦａｘＮｏと対応付けて印刷デバイスが登録される。印刷デバイスは、ＩＰアドレスや装置名等によって登録される。そして、更に各印刷デバイスの能力情報が登録される。２０５は、ユーザインタフェースコントローラ（ＵＩＣ）で、ユーザインタフェース（ＵＩ）２０９への表示、また、ＵＩ２０９を介してのユーザからの指示入力を制御する。
【００１５】
ファンクションコントローラ（ＦＵＮＣＣ）２０６は、ファンクションブロック（ＦＵＮＣ）２１０を制御する。ＦＵＮＣ２１０は、例えば、モノクロプリンタ、または、カラープリンタとすることができる。２０７は、ディスクコントローラ（ＤＫＣ）で、ハードディスク（ＨＤ）２１１およびフロッピー（登録商標）ディスクコントローラ（ＦＤ）２１２とのアクセスを制御する。ハードディスク（ＨＤ）２１１およびフロッピー（登録商標）ディスクコントローラ（ＦＤ）２１２は、ブートプログラム、本実施形態における動作を行うプログラム、種々のアプリケーションを記憶し、また、データファイルの格納機能を実現するための記憶領域である。２０８は、ネットワークインタフェースカード（ＮＩＣ）で、ＬＡＮ１００を介して、他の装置との間の通信を制御する。ファックスコントローラ（ＦＡＸＣ）２１３は、ＰＳＴＮ１５０を介して外部ＦＡＸ機器とＦＡＸデータの送受信を行う。
【００１６】
図３は、本実施形態における印刷デバイスの構成の一例を示すブロック図である。ここでは、図３では、印刷デバイス１２０としたが、印刷デバイス１３０も同様の構成を有するものとする。印刷デバイス１２０、１３０は、ＦＡＸＣを含まない点以外、ＦＡＸ受信デバイス１１０と同様の構成を有するものである。ただし、ＦＵＮＣ３１０は、ＦＡＸ受信デバイス１１０、印刷デバイス１２０、印刷デバイス１３０で異なる機能を持つものとする。
【００１７】
図４は、図１に示したファクシミリシステムにおいて、ＦａｘＮｏ：Ｎ１に着呼があった場合の動作シーケンス（データ処理シーケンス）の流れを示す図である。まず、ステップＳ４０１において、外部ＦＡＸ機器１６０がＦＡＸＮｏ：Ｎ１に対して発呼を行うと、ＦＡＸ受信デバイス１１０が着呼してＦＡＸ受信（ファクシミリ受信）を開始する。ステップＳ４０２において、ＦＡＸ受信デバイス１１０は、印刷を行うデバイスを決定する。ここでは、ＦａｘＮｏ：Ｎ１で着呼しているので、ＲＡＭ２０３を参照し、ＦａｘＮｏ：Ｎ１に割り当てられている印刷デバイス１２０が選択され決定される。
【００１８】
ステップＳ４０３において、ＦＡＸ受信デバイス１１０は、印刷デバイス１２０の印刷能力（処理能力）の情報を取得する。ここで、印刷能力情報とは、カラー印刷または白黒印刷の可否、印刷用紙サイズ、受信処理可能な画像データの解像度等の情報をいう。また、そのような印刷能力情報を取得する方法は、ＲＡＭ２０３に予め登録したものを読み出したり、ＦＡＸ受信デバイス１１０がＬＡＮ１００を介して取得するなど、特に限定されない。ステップＳ４０４において、ＦＡＸ受信デバイス１１０は、その印刷能力情報をＤＩＳ信号によって外部ＦＡＸ機器１６０に送信し、外部ＦＡＸ機器１６０とＩＴＵ−Ｔ Ｔ．３０に従ったネゴシエーションを行う。
【００１９】
その後、ステップＳ４０５において、ＦＡＸ受信デバイス１１０は、先のネゴシエーションにおいて外部ＦＡＸ機器１６０からのＤＣＳ信号によって決定した形式の画像データ（ＦＡＸデータ）を外部ＦＡＸ機器１６０から受信する。ＦＡＸ受信デバイス１１０は受信した画像データを、一旦、ＲＡＭ２０３に格納し、ステップＳ４０６において、そのＦＡＸデータから生成した印刷ジョブデータを印刷デバイス１２０へ送信する。ステップＳ４０７において、印刷ジョブデータを受信した印刷デバイス１２０は、印刷処理を実行し、外部ＦＡＸ機器１６０が送信した画像データを印刷する。
【００２０】
図５は、ＦＡＸ受信デバイス１１０における処理の手順を示すフローチャートである。本フローチャートは、ＲＯＭ２０２に格納されたプログラムを、ＣＰＵ２０１がＲＡＭ２０３にロードして実行する処理の流れである。ステップＳ５０１において、ＦＡＸ受信デバイス１１０は、電源がオンにされると初期化処理を行い、ステップＳ５０２において、外部からの要求待ちとなる。外部からの要求とは、ＰＳＴＮ１５０を介した要求、ＵＩ２０９を介したユーザからの要求、ＬＡＮ１００を介した要求を含む。外部からの要求により、以下のように処理が振り分けられる。
【００２１】
まず、ＰＳＴＮ１５０を介して、外部ＦＡＸ機器１６０からのＦＡＸの着信があれば、ステップＳ５０３に進む。ステップＳ５０３において、ＦＡＸ受信デバイス１１０は、ＦＡＸ受信処理を実行し、ステップＳ５０２へ戻って、再度、外部からの要求を待つ。一方、終了要求（ＵＩ２０９を介した電源オフの要求）であれば、ステップＳ５０５へ進む。ステップＳ５０５において、終了処理を実行し、その後、ＦＡＸ受信デバイスの電源をオフする。また、その他の要求であれば、ステップＳ５０４において要求に従った処理を行い、ステップＳ５０２へ戻って、再度、外部からの要求を待つ。
【００２２】
図６は、図５に示すステップＳ５０３の処理の手順の詳細を示すフローチャートである。まず、ステップＳ５０３１において、ＲＡＭ２０３を参照し、着呼したＦａｘＮｏに対応付けられた印刷デバイスを、ＬＡＮ１００を介して検索する。ここでは、ＬＡＮ１００を介して検索する例について説明するが、ＲＡＭ２０３に登録されている情報を検索するなど、種々の方法を用いることができる。
【００２３】
その後、ステップＳ５０３２において、検索応答を待つ。着呼したＦａｘＮｏに対応付けられた印刷デバイスの検索に失敗した場合、ステップＳ５０４０へ進み、エラー処理を行い、本処理を終了する。エラー処理としては、ここで回線を切断し、通信を終了してもよいし、ＦＡＸ受信デバイス１１０が自身の受信能力に従ってＦＡＸ受信を実行するようにしてもよい。一方、ステップＳ５０３２において、検索が成功した場合、ステップＳ５０３３へ進み、印刷ジョブを送信する印刷デバイスを決定する。
【００２４】
次に、ステップＳ５０３４において、決定した印刷デバイスの印刷能力情報の要求を、ＬＡＮ１００を介して、決定された印刷デバイスに対して実行し、ステップＳ５０３５において、その応答を待つ。ここで、印刷能力情報の取得に失敗した場合、ステップＳ５０４０に進み、エラー処理を実行後、本処理を終了する。一方、取得に成功した場合、ステップＳ５０３６に進み、取得した能力情報を、ＤＩＳ信号にセットして外部ＦＡＸ機器に送信し、外部ＦＡＸ機器との間でＴ．３０に従ったＦＡＸ通信のネゴシエーションを実行する。
【００２５】
次に、ステップＳ５０３７において、ＦＡＸデータを受信し、ステップＳ５０３８において、ＦＡＸデータをもとに、指定された印刷デバイスに対して能力情報に従った印刷ジョブデータを作成して送信する。ステップＳ５０３９において、ＦＡＸデータを全て受信したか否かを判定し、全て受信していなければ、ステップＳ５０３７に戻る。一方、全て受信した場合には、本処理を終了する。
【００２６】
以上のような処理により、ＦＡＸ受信の際、ＦＡＸデータを印刷すべき印刷デバイスの能力情報を、ＬＡＮ１００を介して取得するので、最新の能力情報を送信元のＦＡＸ機器に通知することができる。即ち、ＦＵＮＣ３１０が交換され、印刷デバイスの能力が以前と異なっていたとしても最新の能力情報に従った形式のＦＡＸデータを受信することができる。
【００２７】
図７は、図５に示すステップＳ５０３の処理の他の手順を示すフローチャートである。本例においては、印刷デバイスを、ＬＡＮ１００を介して検索するのに代えて印刷デバイスの能力情報などを含むデバイス情報とＦａｘＮｏとが記述されている対応表（デバイス対応表ともいう）を用いる。デバイス対応表は、図９において後述する。また、その対応表（テーブル）は、ＦＡＸ受信デバイス１１０のＲＡＭ２０３等の記憶領域に予め格納する。
【００２８】
ステップＳ５０５１において、着呼したＦａｘＮｏに基づきデバイス対応表を参照し、印刷ジョブ送信先となる印刷デバイスを検索する。ステップＳ５０５２において、検索が成功して印刷デバイスの特定ができた場合に、ステップＳ５０５３へ進み、検索が失敗した場合に、ステップＳ５０５７へ進む。ステップＳ５０５７において、エラー処理を実行後、本処理を終了する。
【００２９】
ステップＳ５０５３において、特定された印刷デバイスの能力情報をＲＡＭ２０３から読み出して、ＤＩＳ信号にセットして外部ＦＡＸ機器に送信し、ＦＡＸ通信のためのネゴシエーションを実行する。その後、ステップＳ５０５４において、ＦＡＸデータの受信を行い、ステップＳ５０５５において、受信したＦＡＸデータをもとに、特定された印刷デバイスに対して能力情報に従った印刷ジョブデータを作成して送信する。
【００３０】
ステップＳ５０５６において、ＦＡＸデータを全て受信したか否かを判定し、全て受信していなければ、ステップＳ５０５４に戻る。一方、全て受信した場合には、本処理を終了する。
【００３１】
以上のような処理により、ＦＡＸ受信の際、ＬＡＮ１００を介して印刷デバイスの能力情報を取得しなくとも、印刷デバイスの能力情報を送信元のＦＡＸ機器に通知することができるので、能力情報の取得の負荷を軽減できる。
【００３２】
図８は、印刷デバイスにおける処理の手順を示すフローチャートである。本フローチャートは、ＲＯＭ３０２に格納されたプログラムを、ＣＰＵ３０１がＲＡＭ３０３にロードして実行する処理の流れである。
【００３３】
まず、ステップＳ８０１において、印刷デバイスは、電源がオンにされると初期化処理を行い、その後、ステップＳ８０２において、外部からの要求待ちとなる。外部からの要求により、以下のように処理が振り分けられる。印刷ジョブをＦＡＸ受信デバイス１１０から受信した場合、ステップＳ８０３へ進み、印刷ジョブ受信および印刷を実行する。その後、処理８０２へ戻り、再度外部からの要求を待つ。
【００３４】
また、ステップＳ８０２において、ＦＡＸ受信デバイス１１０から送信される検索要求（図６のステップＳ５０３１）を受信すると、ステップＳ８０４へ進み、検索要求に対する応答をＦＡＸ受信デバイス１１０に対して送信する。また、ステップＳ８０２において、ＦＡＸ受信デバイス１１０から送信される能力情報要求（図６のステップＳ５０３４）を受信すると、ステップＳ８０５へ進み、能力情報要求に対する応答をＦＡＸ受信デバイス１１０に対して送信する。
【００３５】
また、ステップＳ８０２において、終了要求があれば、ステップＳ８０７へ進み、終了処理を実行し、その後、印刷デバイスの電源をオフする。また、ステップＳ８０２において、その他の要求であれば、ステップＳ８０６に進み、要求に従った処理を行い、その後、ステップＳ８０２へ戻り、再度、外部からの要求を待つ。
【００３６】
図９は、図７で使用しているデバイス対応表（テーブル）の一例を示す図である。図９に示すテーブルにおいては、各印刷デバイスとＦＡＸ番号と印刷能力情報とが関連付けられて保持されており、例えばＲＡＭ２０３等の記憶領域に予め格納される。
【００３７】
この例では、１行に１つの印刷デバイスの情報が記録されている。列９１０は、印刷デバイスのデバイス名を示す。列９２０は、各デバイスに割り当てられたＦａｘＮｏを示す。列９３０は、各デバイスに割り当てられた図１に示すＬＡＮ１００上で識別されるネットワークアドレス（例えばＩＰアドレス）を示す。列９４０は、デバイスの印刷能力情報を示す。本実施形態においては、カラー印刷または白黒印刷の可否、印刷用紙のサイズ、画像データの解像度等が、印刷能力情報として含まれている。
【００３８】
例えば、行９０１では、デバイス名は「Ginji」、ＦａｘＮｏは「N0」、ネットワークアドレスは「aaa」、印刷能力はカラー印刷が可能で、印刷解像度は600/300/200dpi、印刷用紙はA4とA3が使用可能であることが示されている。また、例えば、行９０２では、デバイス名は「Goemon」、ＦａｘＮｏは「N1」、ネットワークアドレスは「bbb」、印刷能力は白黒印刷のみ可能で、印刷解像度は300dpiのみ、印刷用紙はA4とB4が使用可能であることが示されている。また、例えば、行９０３では、デバイス名は「Kaede」、ＦａｘＮｏは「N2」、ネットワークアドレスは「ccc」、印刷能力はカラー印刷が可能で、印刷解像度は600/300/200dpi、印刷用紙はA4とA3が使用可能であることが示されている。なお、カラー印刷が可能なものは白黒印刷も可能である。
【００３９】
ここで、印刷能力情報は、Ｔ．３０において、ＤＩＳ信号にセット可能なものとして定義されていないものが含まれていても良い。例えば、現在のデバイスのステータス情報、例えば、紙切れなどの情報を持っていても良い。これらの情報は、ＮＳＦ信号にセットして通知するようにすればよい。また、例えば、図９に示すデバイス対応表では各デバイスの印刷解像度情報を含むが、これは必ずしもＦＵＮＣ３１０の印刷能力に従う必要はない。即ち、ＣＰＵ３０１がＦＡＸ受信デバイスから受信した画像データを扱える能力としてもよい。
【００４０】
以上のように、本実施形態によれば、送信元が指定したＦＡＸ番号に対応した印刷デバイスの能力を取得して当該送信元に通知する。これにより、送信元が意図した印刷デバイスに送信画像データを印刷させることができるとともに送信元が送信する画像データと印刷デバイスでの印刷結果との間に不整合が生じることを防ぐことができる。
【００４１】
なお、本発明は、前述した実施形態の機能を実現するソフトウェアのプログラム（ＦＡＸ受信プログラム）コードを記録した記憶媒体をシステム又は装置に供給するようにしても良い。更に、そのシステム又は装置のコンピュータ（又は、ＣＰＵやＭＰＵ）が記憶媒体に格納されたプログラムコードを読み出し実行することによっても、本発明の目的が達成されることは言うまでもない。この場合、記憶媒体から読み出されたプログラムコード自体が本発明の新規な機能を実現することになり、そのプログラムコードを記憶した記憶媒体は本発明を構成することになる。
【図１】
2010212915.tif 000003
【図２】
2010212915.tif 000004
【図３】
2010212915.tif 000005
【図４】
2010212915.tif 000006
【図５】
2010212915.tif 000007
【図６】
2010212915.tif 000008
【図７】
2010212915.tif 000009
【図８】
2010212915.tif 000010
【図９】
2010212915.tif 000011